(57)【要約】  本発明は、背もたれ部長手方向（Ｌ）に延在する背もたれ部（２）と、シートシェル（1）に取り付けられて、子供の胴体部の後部を支持する背もたれ部（２）の背部サポート（２１）と、背もたれ部長手方向（Ｌ）に移動可能に背部サポート（２１）に取り付けられて、子供の頭部の後部および／または側部を支持する背もたれ部（２）のヘッドレスト部材（２２）と、ヘッドレスト部材（２２）の位置を背部サポート（２１）に対して背もたれ部長手方向（Ｌ）に調節するための第１調節機構（２０）と、ヘッドレスト部材（２２）の側方支持部（７ａ，７ｂ）に、背もたれ部長手方向（Ｌ）に対して交差する方向に互いに離間して配置された２つの側方肩部保護フランジ部（２６，２７）と、背もたれ部長手方向（Ｌ）に対して交差する方向における２つの側方肩部保護フランジ部（２６，２７）間の間隔を調節するための第２調節機構（２５）とを有する、自動車シートに設置するための自動車の子供用保護装置に関する。本発明によると、一方の調節機構（２０）が作動すると他方の調節機構（２５）も起動するように２つの調節機構（２０，２５）を互いに連結する連結機構（５）が設けられている。【選択図】  図１
2008515695.tif 000002
【特許請求の範囲】
【請求項１】
背もたれ部長手方向（Ｌ）に延在する背もたれ部（２）と、
シートシェル（1）に取り付けられて、子供の胴体部の後部を支持する前記背もたれ部（２）の背部サポート（２１）と、
前記背もたれ部長手方向（Ｌ）に移動可能に前記背部サポート（２１）に取り付けられて、子供の頭部の後部および／または側部を支持する前記背もたれ部（２）の頭部拘束サブアセンブリ（２２）と、
前記頭部拘束サブアセンブリ（２２）の位置を前記背部サポート（２１）に対して前記背もたれ部長手方向（Ｌ）に設定するように構成された第１設定機構（２０）と、
それぞれ前記頭部拘束サブアセンブリ（２２）の側方支持部（７ａ，７ｂ）に、前記背もたれ部長手方向（Ｌ）に対して交差する方向に互いに離間して配置された２つの側方肩部保護チーク部（２６，２７）と、
前記背もたれ部長手方向（Ｌ）に対して交差する方向につき、前記２つの側方肩部保護チーク部（２６，２７）間の間隔を設定するように構成された第２設定機構（２５）を有する、自動車シートに設置するための自動車の子供用保護装置であって、
前記２つの設定機構（２０，２５）につき、一方の設定機構（２０）が作動すると他方の設定機構（２５）も起動するように当該２つの設定機構（２０，２５）を互いに連結する連結機構（５）が設けられていることを特徴とする子供用保護装置。
【請求項２】
前記２つの設定機構（２０，２５）は、前記第１設定機構（２０）が作動すると前記第２設定機構（２５）が起動するように互いに連結されていることを特徴とする請求項１に記載の子供用保護装置。
【請求項３】
前記連結機構（５）が、第１の方向（Ｌ）への運動を当該第１の方向（Ｌ）に対して垂直な方向の成分（Ｑ）を有する運動に変換するための連結ギヤ（５０）を有することを特徴とする請求項１または２に記載の子供用保護装置。
【請求項４】
前記第１の方向（Ｌ）が前記背もたれ部長手方向であることを特徴とする請求項２または３に記載の子供用保護装置。
【請求項５】
前記連結ギヤが歯車であることを特徴とする請求項３または４に記載の子供用保護装置。
【請求項６】
前記連結ギヤがネジまたはスピンドルギヤであることを特徴とする請求項３または４に記載の子供用保護装置。
【請求項７】
前記連結ギヤがレバーギヤであることを特徴とする請求項３または４に記載の子供用保護装置。
【請求項８】
前記連結ギヤが牽引ギヤであることを特徴とする請求項３または４に記載の子供用保護装置。
【請求項９】
前記連結ギヤ（５０）が、ガイドトラック（５１，５２）に沿って案内される少なくとも一つのガイド部材（５３，５４，５６，５７）を有することを特徴とする請求項３または４に記載の子供用保護装置。
【請求項１０】
前記連結ギヤ（５０）が、長手方向の運動を回転運動に変換し、または回転運動を長手方向の運動に変換するために用いられることを特徴とする請求項３から９のいずれか１項に記載の子供用保護装置。
【請求項１１】
前記連結ギヤ（５０）が、第１の方向（Ｌ）への長手方向の運動を第２の方向（Ｑ）への長手方向の運動に変換するように構成されていることを特徴とする請求項３から９のいずれか１項に記載の子供用保護装置。
【請求項１２】
前記連結ギヤが、ラックと、当該ラックに噛合するピニオンを有することを特徴とする請求項５、請求項１０または１１に記載の子供用保護装置。
【請求項１３】
前記連結ギヤが、ネジまたはスピンドルと、当該ネジまたはスピンドルに係合するナットを有することを特徴とする請求項６、請求項１０または１１に記載の子供用保護装置。
【請求項１４】
前記連結ギヤがクランクを有することを特徴とする請求項７、請求項１０または１１に記載の子供用保護装置。
【請求項１５】
前記連結ギヤが、牽引機構と、当該牽引機構によって駆動されるプーリを有することを特徴とする請求項８、請求項１０または１１に記載の子供用保護装置。
【請求項１６】
各ガイドトラック（５１，５２）が、ガイド部材（５３，５４）が係合する長孔状のガイドスロットとして構成されていることを特徴とする請求項９、請求項１０または１１に記載の子供用保護装置。
【請求項１７】
各ガイドトラック（５１，５２）が、ガイド部材（５３，５４）が摺動するガイド面として構成されていることを特徴とする請求項９、請求項１０または１１に記載の子供用保護装置。
【請求項１８】
前記背部サポート（２１）が、前記背もたれ部長手方向（Ｌ）に関して変位不能に前記シートシェル（１）に取り付けられていることを特徴とする請求項１から１７のいずれか１項に記載の子供用保護装置。
【請求項１９】
前記背部サポート（２１）が、前記シートシェル（１）に折り畳み可能に取り付けられていることを特徴とする請求項１から１８のいずれか１項に記載の子供用保護装置。
【請求項２０】
前記２つの側方肩部保護チーク部（２６，２７）を回動軸（２４）回りに相対的に回動させることによって、前記２つの側方肩部保護チーク部（２６，２７）間の間隔を設定することが可能であることを特徴とする請求項１から１９のいずれか１項に記載の子供用保護装置。
【請求項２１】
前記回動軸（２４）が、前記背もたれ部長手方向（Ｌ）に対して直交状に延在することを特徴とする請求項２０に記載の子供用保護装置。
【請求項２２】
前記２つの側方肩部保護チーク部（２６，２７）間の前記回動軸（２４）が、前記頭部拘束サブアセンブリ（２２）に設けられていることを特徴とする請求項２０または２１に記載の子供用保護装置。
【請求項２３】
前記２つの側方支持部（７ａ，７ｂ）を前記回動軸（２４）回りに回動させることによって、前記２つの側方肩部保護チーク部（２６，２７）間の間隔を設定することが可能であることを特徴とする請求項２０から２２のいずれか１項に記載の子供用保護装置。
【請求項２４】
作動ハンドル（３）が、前記一方の設定機構（２０）を作動させるために設けられていることを特徴とする請求項１から２３のいずれか１項に記載の子供用保護装置。
【請求項２５】
前記作動ハンドル（３）が凹状把持部（３０）に配置されていることを特徴とする請求項２４に記載の子供用保護装置。
【請求項２６】
前記一方の設定機構（２０）の設定をロックするためのロック機構（９）が設けられていることを特徴とする請求項１から２５のいずれか１項に記載の子供用保護装置。
【請求項２７】
前記ロック機構（９）が係止機構を有することを特徴とする請求項２６に記載の子供用保護装置。
【請求項２８】
前記ロック機構（９）が、ロックされる方向に弾性的に付勢力を与えられていることを特徴とする前記請求項２６または２７に記載の子供用保護装置。
【請求項２９】
前記ロック機構（９）に対して、前記ロック機構を解除するための操作部材（３；９１，９２）が設けられていることを特徴とする請求項２６から２８のいずれか１項に記載の子供用保護装置。
【請求項３０】
前記操作部材が前記作動ハンドル（３）によって構成されていることを特徴とする請求項２４または２９に記載の子供用保護装置。
【請求項３１】
表示装置（４）が、前記設定機構（２０，２５）の少なくとも一方の設定を表示するために設けられていることを特徴とする請求項１から３０のいずれか１項に記載の子供用保護装置。
【請求項３２】
表示装置（４）が、前記設定機構（２０）によって相対的に調節可能な２つの部分（２１，２２）の一方にそれぞれ設けられている目盛り（４２）と指針（４１）とから成ることを特徴とする請求項３１に記載の子供用保護装置。
【請求項３３】
前記指針（４１）が覗き窓によって構成されていることを特徴とする請求項３２に記載の子供用保護装置。
【請求項３４】
シートベルト用のベルトガイド（２８，２９）が、前記頭部拘束サブアセンブリ（２２）の前記側方肩部保護チーク部（２６，２７）の少なくとも一方に設けられていることを特徴とする請求項１から３３のいずれか１項に記載の子供用保護装置。
【請求項３５】
前記背もたれ部長手方向（Ｌ）に対して交差する方向における前記２つの側方肩部保護チーク部（２６，２７）間の間隔を変更する際に、同時に、前記背もたれ部長手方向（Ｌ）に対して交差する方向における前記ベルトガイド（２８，２９）の位置も変更されるように、前記ベルトガイド（２８，２９）の少なくとも一方が、前記頭部拘束サブアセンブリ（２２）の側方肩部保護チーク部（２６，２７）に設けられていることを特徴とする請求項３４に記載の子供用保護装置。
【請求項３６】
各ベルトガイド（２８，２９）が、同じ側方支持部（７ａ，７ｂ）に設けられた前記肩部保護チーク部（２６，２７）とともに移動されることを特徴とする請求項３５に記載の子供用保護装置。
【請求項３７】
前記頭部拘束サブアセンブリ（２２）の位置を変更する際に、前記少なくとも一方のベルトガイド（２８，２９）が前記背もたれ部長手方向（Ｌ）に移動されることを特徴とする請求項３４から３６のいずれか１項に記載の子供用保護装置。
【発明の詳細な説明】
【技術分野】
【０００１】
本発明は、請求項１の前段部分（プレアンブル）に記載された特徴を有する自動車の子供用保護装置に関する。
【背景技術】
【０００２】
この種の子供用保護装置は、自動車シートに設置するためのものであって、所定の長手方向（上下方向）に延在する背もたれ部を備えている。背もたれ部は、シートシェルに取り付けられて子供の胴体部の後部を支持する背部サポートと、背もたれ部長手方向に移動可能に背部サポートに取り付けられて子供の頭部の後部および／または側部を支持する頭部拘束サブアセンブリとを有する。頭部拘束サブアセンブリは、更に、背もたれ部長手方向に対して交差する方向（横方向）に互いに離間して、それぞれ頭部拘束サブアセンブリの側方支持部から突出して形成されている２つの側方肩部保護チーク部（側方肩部保護のための側面部、サイドチークとも称呼）を有する。第一に、背部サポートに対する頭部拘束サブアセンブリの背もたれ部長手方向の位置を、第二に、背もたれ部長手方向に対して交差する方向における２つの側方肩部保護チーク部間の間隔を設定するために、この子供用保護装置には第１および第２設定機構が設けられている。
【０００３】
この種の子供用保護装置は、自動車で移動する子供を保持するためのものであり、そのために、適切に自動車に固定される。子供用保護装置の背部サポートは、子供の背部を安定させるためのものであり、そのために、子供用保護装置の正常位置に着座した子供の背柱に沿って背もたれ部長手方向に延在する。この場合、背もたれ部長手方向に変位可能に背部サポートに取り付けられている頭部拘束サブアセンブリは、子供の頭部を支持するばかりでなく、更に肩部保護チーク部を有し、特に側面衝突事故の際に、子供の上体、すなわち肩部、さらには上腕部が確実に側方方向に支持されるように構成されている。
【０００４】
この種の子供用保護装置は、これを使用する子供に上質の乗り心地と、特に衝突事故の際には最大限の安全性を提供するために、頭部拘束装置の高さ、すなわち、背部サポートに対する頭部拘束アセンブリの背もたれ部長手方向の位置、および、頭部拘束装置の幅、すなわち、背もたれ部長手方向に対して交差する方向における２つの側方肩部保護チーク部（サイドチーク）間の間隔が、その子供の体格、一般に、身体測定値と一致していなければならない。このために、頭部拘束アセンブリの背もたれ部長手方向の位置を設定する機構と、２つの側方肩部保護チーク部間の間隔を設定する機構が用いられる。
【０００５】
しかし、この種の公知の子供用保護装置の場合、頭部拘束装置の高さ（背もたれ部の長さ）とサイドチーク間の間隔（背もたれ部の幅）を設定するために２つの異なる設定機構を別々に作動させる必要があり、複雑さが伴うという問題がある。そのため、誤操作の危険性が増大し、この設定を子供の年齢とともに変化する身体測定値に定期的に合わせることができなくなる問題もある。
【発明の開示】
【発明が解決しようとする課題】
【０００６】
本発明は、扱い易く信頼性が高いという特徴をする、冒頭に記載のタイプの子供用保護装置を提供することを課題としている。
【課題を解決するための手段】
【０００７】
上記課題は、本発明に係る請求項１に記載の特徴を有する子供用保護装置によって解決される。
【０００８】
本発明による子供用保護装置は、対応する作動変数、すなわち頭部拘束装置（ヘッドレスト装置とも称呼）の高さ、ないし側方肩部保護サイドチーク（側方肩部保護のための側面部とも称呼）間の間隔を設定するための一方の設定機構が作動すると他方の設定機構も起動するように子供用保護装置の２つの設定機構を互いに連結する連結機構を有する。
【０００９】
これによって、２つの設定機構を、一回の動作で、例えば、対応する作動ハンドルを片手で操作することによって操作できるため、操作の利便性の向上につながる。また、同時に、全ての設定操作を同一の作動部材で行うことができるため、誤操作の危険性が低減される。
【００１０】
本発明によって設けられた連結機構は、特に（頭部拘束装置の高さを設定する）第１設定機構が作動すると（サイドチーク間の間隔を設定する）第２設定機構が起動するように構成されている。
【００１１】
そのために、連結機構は、第１の方向への運動を当該第１の方向に対して垂直な方向の成分を有する運動に変換するためのギヤ、例えば、（頭部拘束装置の高さを設定する際の）背もたれ部長手方向への運動を（２つの肩部保護チーク部間の間隔を設定するべく）背もたれ部長手方向に対して垂直な方向の成分を有する運動に、またはその逆に、変換するためのギヤを有する。これには、例えば、歯車、スピンドルギヤ、レバーギヤ、牽引ギヤ、互いに相互作用する長穴ガイドまたは摺動ガイドまたは摺動楔状部材が好適である。
【００１２】
本発明の一実施形態によると、ギヤは、例えば、ラックとラックに噛合するピニオンによって、ネジ（スピンドル）とネジに取り付けられたナット（スピンドルナット）によって、可撓性牽引機構（ケーブル）と牽引機構によって回転可能となるプーリによって、または、クランクギヤによって、長手方向の運動を回転運動に、またはその逆に、変換するために用いられる。
【００１３】
本発明の他の実施形態によると、ギヤは、例えば、レバーギヤによって、対応するガイドトラック（例えば、ガイド長穴）内を案内されるガイド部材（例えば、ガイドピン）によって、または、相互作用する摺動楔状部材によって、第１の方向への長手方向の運動を第２の方向への長手方向の運動に変換するために用いられる。
【００１４】
背もたれ部長手方向に対して交差する方向に互いに離間する子供用保護装置の２つの側方肩部保護チーク部間の間隔、すなわち、背もたれ部の幅は、サポートを（所定の回動軸回りに）回動させることによって設定可能であることが好ましい。
【００１５】
連結機構を介して互いに連結される２つの設定機構を作動させるには、好ましくは、対応する凹状把持部に配設された作動部材（作動ハンドル）である作動レバーが用いられる。
【００１６】
さらに、本発明の好ましい発展例では、頭部拘束装置の現時点の設定高さとサイドチーク間の現時点の設定間隔とをロックするためにロック機構が設けられている。これには、例えば、ロックされる方向に（スプリング機構によって）弾性的に付勢力が与えられ、対応する操作部材によって解除することが可能な係止部（掛止部）が好適である。この操作部材は、頭部拘束装置の高さとサイドチーク間の間隔をリセットするための作動部材によって構成されていることが好ましい。このために、作動部材は移動可能に取り付けられ、例えば、回動可能に取り付けられた作動レバーとして構成され、作動部材に対する作用によって（例えば、作動レバーを回動させることによって）、まず、ロック機構が解除され、その後、作動部材に対するさらなる作用によって（例えば、背もたれ部長手方向に力を加えて引張ることによって）、一方の設定機構、すなわち、この場合は、背もたれ部の長さを設定するための設定機構が作動するように構成されている。本発明によると、これによって、他方の設定機構も同時に起動される、すなわち、この場合は、背もたれ部の２つの背部サポート間の間隔が調節される。
【００１７】
さらに、設定機構の少なくとも一方の設定を表示するための表示装置が設けられていると有利である。この表示装置は、相対的に調節可能な子供用保護装置の２つの部分の一方、例えば、相互に入れ子状に嵌め込み可能な２つの背もたれ部分（背部サポートと頭部拘束サブアセンブリ）の一方にそれぞれ設けられている目盛りと指針によって構成することが可能である。この場合、指針は、目盛りの一部が見える覗き窓である表示窓として構成してもよい。
【００１８】
シートベルトをガイドするための少なくとも１つのベルトガイドが、頭部拘束装置の高さやサイドチーク間の間隔がリセットされるのと同時に、ベルトガイドの位置も同様にして調節されるように、子供用保護装置の頭部拘束サブアセンブリに設けられていると有利である。これによって、子供用保護装置のベルトガイドの位置は、頭部拘束装置の高さやサイドチーク間の間隔の現時点の設定値に自動的に合わせられる。ベルトガイドを背もたれ部の２つの側方部分にそれぞれ配置することがここでは特に好ましい。
【発明を実施するための最良の形態】
【００１９】
図１は、凹部１０を有するシートシェル1とシートシェル1から上方に突出した背もたれ部２とを有する子供用保護装置であるチャイルドシートを示している。
【００２０】
凹部１０を有するシートシェル1は、子供の上腿部、尻部および骨盤部を受ける部分であり、背もたれ部（バックレスト部とも称呼）２は、背部サポート（バックサポート部とも称呼）２１によって子供の背部を支持するとともに、頭部拘束サブアセンブリ（ヘッドレスト・サブアセンブリないしヘッドレスト組込体とも称呼）２２によって子供の頭部を支持するためのものである。また、側方肩部保護チーク部２６，２７（側方肩部保護のための側面部、ないしサイドチークとも称呼）が、頭部拘束サブアセンブリ２２から突出形成され、特に側面衝突事故の際に上腕部および肩部の領域で子供を側方支持する。そのために、側方肩部保護チーク部２６，２７は、背もたれ部の長手方向Ｌに対して交差する方向に互いに離間して、頭部拘束サブアセンブリ２２に回動可能に設けられたそれぞれの側方支持部７ａ，７ｂから突出して形成されている。背もたれ部長手方向Ｌは、ここではシートシェル1の正常位置に着座した子供の背柱の延伸方向を意味している。また、頭部拘束サブアセンブリ２２は、従来の頭部拘束装置に比して更なるサブアセンブリ２６，２７，２８，２９を有するが、以下では、単に頭部拘束装置とも称される。
【００２１】
図１に示される子供用保護装置であるチャイルドシートは、これを使用する子供の最高限の乗り心地と最大限の安全性を保証するために、その形状寸法を子供の体格の測定値と一致させることが可能である。このために、頭部拘束装置の高さ、すなわち、背部サポート２１に対する頭部拘束装置２２の背もたれ部長手方向Ｌの位置と、背もたれ部長手方向Ｌに対して交差する方向Qにおける側方肩部保護チーク部２６，２７（サイドチーク）間の間隔を設定することが可能である。
【００２２】
頭部拘束装置の高さを設定するために、背もたれ部２は、全体として入れ子状（嵌合状）に伸縮式に形成され、２つの背もたれ部分２１，２２から構成されている。背もたれ部分２１，２２は、背もたれ部長手方向Ｌにおいて相対的に調節可能とされ、そのうち一方の背もたれ部下部２１が背部サポートを構成し、背もたれ部長手方向Ｌに変位可能である他方の背もたれ部上部２２が頭部拘束装置を構成する。背もたれ部の長さを設定するためには、凹状把持部３０に配置された作動ハンドル３である作動レバーが用いられる。作動レバー３は、頭部拘束装置２２に設けられた（子供の頭部を受ける）頭部受け部２３に配置され、以下の２つの機能を有する。
第一に、作動レバー３を回動することによって、ロック機構を解除することが可能である。ロック機構は、弾性的にプレストレスを与えられてロック状態にされる掛止部材によって形成され、背もたれ部の長さの現時点の設定をロックする。ロック機構が解除されて、初めて、頭部拘束装置２２を背もたれ部長手方向Ｌに背部サポート２１に対して動かすことによって頭部拘束装置の高さをリセットすることが可能となる。
第二に、背もたれ部長手方向Ｌに作用する張力を作動ハンドル３に加えることによってロック機構を解除した後、対応する設定機構を形成する２つの背もたれ部２１，２２、すなわち、背部サポート２１と、背部サポート２１に移動可能に取り付けられた頭部拘束装置２２を背もたれ部長手方向Ｌに相対的に移動させて（図２参照）、頭部拘束装置を所望の高さにリセットすることが可能である。
【００２３】
背もたれ部の長さを設定するための設定機構２０は、２つの背もたれ部２１，２２が入れ子状に嵌め込み可能であることによって実現され、表示装置４が対応して設けられている。表示装置４は、一方の背もたれ部下部、すなわち背部サポート２１に設けられた表示窓または覗き窓４１と、他方の背もたれ部上部、すなわち頭部拘束装置２２に設けられた目盛４２とから構成される。２つの背もたれ部分２１，２２の背もたれ部長手方向Ｌにおける相対的な位置に応じた目盛４２の一部が覗き窓４１から目視可能であり、その部分から頭部拘束装置の高さの現時点の設定値を読み取ることが可能である。目盛は、背部サポート２１と頭部拘束装置２２から成る背もたれ部２の現時点の全長を示す必要は全くなく、操作がしやすいように、その背もたれ部の設定長が適している子供の身長（ｃｍ）を示してもよい。この表示装置４によって、操作者に選択されている設定値がすぐに知らされるので、誤操作の危険性が更に低減されることになる。
【００２４】
更に、図１に示された子供用保護装置は、背もたれ部長手方向Ｌに対して交差する方向における２つの側方肩部保護チーク部２６，２７（サイドチーク）間の間隔を設定するための設定機構２５を有する。このために、背もたれ部２の２つの側方支持部７ａ，７ｂが軸２４回りに回動可能に取り付けられ、２つの側方支持部７ａ，７ｂを共有のベアリング軸２４回りに互いに回動させることによって、側方支持部７ａ，７ｂに設けられた側方肩部保護チーク部２６，２７間の間隔が、背もたれ部長手方向Ｌに対して交差する方向Qに増減するようになされている（図２参照）。
【００２５】
大きな子供ほど一般的に背もたれ部長手方向Ｌに対して交差する方向に大きなスペースを必要とするので、２つの設定機構２０，２５は、頭部拘束装置の高さが（背もたれ部長手方向Ｌに）高くなると、側方肩部保護チーク部２６，２７間の間隔も（背もたれ部長手方向Ｌに対して交差する方向Qに）広がるように（図２参照）連結機構を介して連結されている。
【００２６】
背もたれ部長手方向Ｌの頭部拘束装置の高さの設定時における２つの背もたれ部２１，２２の長手方向への相対的な移動を頭部拘束装置２２の２つの側方支持部７ａ，７ｂの共有のベアリング軸２４回りの回転運動に変換するために、例えば、ラックとラックに係合するピニオンを有するピニオンギヤ、ネジまたはスピンドルギヤ、牽引機構と牽引機構によって駆動されるケーブルプーリを有する牽引ギヤ、または、レバーギヤ等の公知のギヤ機構を用いることが可能である。
【００２７】
本実施形態では、２つの長穴ガイド５１，５３および５２，５４を有する連結ギヤ５０が、２つの背もたれ部２１，２２の長手方向への相対的移動を背もたれ部２の２つの側方支持部７ａ，７ｂの互いに反対方向への回転運動に変換するための連結機構５として用いられている。当該長穴ガイドは、それぞれ、背もたれ部長手方向Ｌに対して斜めに延在する（背もたれ部長手方向Ｌに対して傾斜した）ガイド長穴（ガイドスロット）５１，５２である長穴と、ガイド長穴５１，５２内を案内されるガイドピン５３，５４であるピンまたはボルトから構成されている。２つのガイド長穴５１，５２は、背もたれ部長手方向Ｌに対して相互に反対方向に傾斜し、ガイドピン５３，５４は、それぞれのガイド長穴５１，５２に密接状に係合している。
【００２８】
傾斜状に延在する２つのガイド長穴５１，５２は、下部の非変位性の背部サポート２１の上方支持部（延長部）２１０に形成され、対応するガイドピン５３，５４は、背もたれ部２の２つの回動可能に取り付けられた側方支持部７ａ，７ｂの一方に設けられている。従って、ガイド長穴５１，５２は、背もたれ部長手方向Ｌの背もたれ部の長さの設定時に所定の位置に固定されたままになるサブアセンブリ（背部サポート２１）に形成され、対応するガイドピン５３，５４は、背もたれ部長手方向Ｌの背もたれ部の長さの設定時に移動されるサブアセンブリ（側方肩部保護チーク部２６，２７が延出形成されている側方支持部７ａ，７ｂを有する頭部拘束装置２２）に設けられている。
【００２９】
ガイド長穴５１，５２が背もたれ部長手方向Ｌに対して傾斜した形状であるため、背もたれ部長手方向Ｌへの頭部拘束装置２２の移動が、ここでは背もたれ部長手方向Ｌに対して交差する方向の成分Ｑを有する頭部拘束装置２２の２つの側方支持部７ａ，７ｂの移動に変換される。この２つの側方支持部７ａ，７ｂの移動は、側方支持部７ａ，７ｂがベアリング軸２４に対して回転可能に取り付けられているため、それぞれ回動運動となる。
【００３０】
背もたれ部２の２つの側方支持部７ａ，７ｂの回動運動は、２つのガイド長穴５１，５２の互いに反対方向への傾斜に対応して互いに反対方向となる。２つのガイド長穴５１，５２は、側方支持部７ａ，７ｂにそれぞれ設けられた２つのガイドピン５３，５４が２つのガイド長穴５１，５２の一方にそれぞれ係合することによって、２つの側方支持部７ａ，７ｂの一方にそれぞれ対応するように設けられている。
【００３１】
本実施形態において具体的に記載された連結機構の代わりに、さらに上記されている他の連結機構のうちの１つを用いてもよい。（背もたれ部長手方向Ｌの）頭部拘束装置の高さ、すなわち、背もたれ部の長さの設定値が背もたれ部の幅（側方肩部保護チーク部２６，２７の横方向Qの間隔）の設定値に対応するように（この設定は、子供の一般的な肩の高さと幅の比率に対応する）、このために設けられた連結機構を介して、２つの設定機構２０，２５が互いに連結されていれば足りる。
【００３２】
さらに図１および図２から分かるように、シートベルト用のベルトガイド２８，２９が、背もたれ部２の２つの側方支持部７ａ，７ｂに設けられている。側方支持部７ａ，７ｂは、頭部拘束装置２２とともに背もたれ部長手方向Ｌに移動可能であるとともに、背もたれ部長手方向Ｌに対して交差する方向Qの間隔を設定することが可能である。これによって、シートベルトは、子供用保護装置に着座した子供を最適に保護するように、（子供用保護装置の取付位置が、例えば、運転席の後ろか助手席の後ろかによって）ベルトガイド２８，２９のどちらか一方を介して案内される。
【００３３】
ベルトガイド２８，２９が背もたれ部２の側方支持部７ａ，７ｂ（頭部拘装置２２に連結されて互いに回動可能である）に設けられていることによって、背もたれ部の長さおよび幅のリセット時に、ベルトガイド２８，２９の位置もこれに対応して同時に調節される。これにより、ベルトガイド２８，２９の位置を、常時、背もたれ部の長さおよび幅のそれぞれ選択された設定値（この設定値は、着座する子供の体格によって決まる）に最適に合わせることが可能となる。
【００３４】
図３および４は、図１および２に概略的にのみ示されている子供用保護装置としてのチャイルドシートの特定の改良点および一部変更点を一例として示している。
【００３５】
図３の組付図および図４の補足的な分解図によると、子供用保護装置のシートシェル1は、子供の尻部および上腿部を受けるシート凹部１０を形成し、シート凹部１０に着座した子供の骨盤を支持するための骨盤サポート１６，１７によって側方が挟まれている。
【００３６】
背部サポート２１は、背もたれ部長手方向Ｌに変位不能に、かつ、回動軸Ｓ回りに折畳み可能にシートシェル1に取り付けられ、シートシェル1のシート凹部１０に着座した子供の胴体、特に、脊柱の後部を支持するように構成配設されている。
【００３７】
頭部拘束装置２２は、背もたれ部長手方向Ｌに変位可能、すなわち、高さ調節可能に背もたれ部２の背部サポート２１に取り付けられている。本実施形態では、頭部拘束装置２２は、複数の部品６，７ａ，７ｂ，８から組立てられた頭部拘束サブアセンブリを意味する。
【００３８】
頭部拘束サブアセンブリ２２の第１構造体６は、子供の頭部を支持するための後部サポート６０と２つの側部サポート６６，６７とを有する頭部受け部として実際の頭部拘束部材を形成する。
【００３９】
頭部拘束サブアセンブリ２２は、更なる構造体として、２つの側方支持部７ａ，７ｂを有する。頭部拘束部材６の側部サポート６６，６７をそれぞれ外側から支持するための側部支持チーク部７６，７７が、側方支持部７ａ，７ｂのベース７０の上端部領域からそれぞれ突出形成されている。側方支持部７ａ，７ｂの背もたれ部長手方向Ｌの下端部からは、側方肩部保護チーク部２６，２７がそれぞれ突出形成されている。側方肩部保護チーク部２６，２７は、図１および２を参照して上記したように、２つの側方支持部７ａ，７ｂをベアリング軸２４回りに互いに相対的に回動させることによって、背もたれ部長手方向Ｌに対して交差する方向Qの間隔を設定することが可能である。更に、ベルトガイド２８，２９が、２つの側方支持部７ａ，７ｂにそれぞれ設けられている。
【００４０】
側方支持部７ａ，７ｂのベアリング軸２４（ひいては、側方支持部７ａ，７ｂから突出する側方肩部保護チーク部２６，２７のベアリング軸２４でもある）は、頭部拘束サブアセンブリ２２の更なる構造体８（後部カバー）に形成されている。構造体８のベース８０は、ほぼ背もたれ部２の背部サポート２１に沿って延在している。後部カバー８のベアリング軸２４に回動可能に取り付けるために、２つの側方支持部７ａ，７ｂは、ベアリング軸２４への取付けのためのベアリング孔７４ａ，７４ｂが設けられた内向きのタブ７４をそれぞれ有する。従って、ベアリング軸２４と２つのベアリング孔７４ａ，７４ｂは、頭部拘束サブアセンブリ２２の上端部領域に（そのために設けられた）ベアリング軸２４回りに側方支持部７ａ，７ｂを回動させることによって２つの側方肩部保護チーク部２６，２７間の背もたれ部長手方向Ｌに対して交差する方向Qの間隔を設定する設定装置２５を構成する。更に、頭部拘束サブアセンブリ２２の頭部拘束部材６は、保持孔６４を介してベアリング軸２４に嵌合されている。
【００４１】
頭部拘束サブアセンブリ２２の構造体６，７ａ，７ｂ，８は、頭部拘束部材６が（シートシェル1に着座した子供から見て）背部サポート２１の前方に延在し、かつ、２つの側方支持部７ａ，７ｂと後部カバー８が背部サポート２１の後方に延在するように、背部サポート２１に取り付けられ、その過程で、後部カバー８がチャイルドシートの後部を閉鎖する。
【００４２】
頭部拘束装置の高さ、すなわち頭部拘束サブアセンブリ２２の位置を背部サポート２１に対して背もたれ部長手方向Ｌに設定するためのチャイルドシートの第１設定機構２０は、背部サポート２１の全部で４つの長手方向ガイド２１ａ，２１ｂ，２１ｃ，２１ｄから成る。当該長手方向ガイドは、背もたれ部長手方向Ｌに延在し、そのうち２つの長手方向ガイド２１ａ，２１ｂまたは２１ｃ，２１ｄは、それぞれ互いに平行かつ隣り合わせに延在する。長手方向ガイド２１ａ，２１ｂ，２１ｃ，２１ｄに対して、頭部拘束サブアセンブリ２２の後部カバー８上のガイド部材２２ａ，２２ｂ，２２ｃ，２２ｄであるガイドピンがそれぞれ設けられている。これによって、後部カバー８は、ベアリング軸２４を介して後部カバー８に取付けられている頭部拘束サブアセンブリ２２の他の構造体６，７ａ，７ｂとともに、背部サポート２１に対して背もたれ部長手方向Ｌに移動可能となされている。上記した長手方向ガイドに加えて、頭部拘束サブアセンブリ２２を背部サポート２１に対して背もたれ部長手方向Ｌに案内するための別の長手方向ガイドを更に設けてもよい。図３には、頭部拘束部材６によって大部分が隠れて見えないが、背部サポート２１の上端部領域に延在する２つのこのような更なる長手方向ガイドの下端部が見られる。
【００４３】
頭部拘束サブアセンブリ２２の位置を背部サポート２１に対して背もたれ部長手方向Ｌに設定することが可能なチャイルドシートの第１設定機構２０と、背もたれ部長手方向Ｌに対して交差する方向における２つの側方肩部保護チーク部２６，２７（サイドチーク）間の間隔を設定することが可能な第２設定機構２５とを連結するには、高さ調節可能な頭部拘束サブアセンブリ２２に、正確には、肩部保護チーク部２６，２７に設けられたガイド部材５６，５７である摺動突起部が連結機構５または連結ギヤ５０として用いられている。摺動突起部５６，５７は、それぞれ各肩部保護チーク部２６，２７の下端部領域に互いに対向して設けられている。２つの摺動突起部５６，５７に対して、背部サポート２１の背面側（図３および４では見えない）に、背もたれ部長手方向Ｌに対して傾斜状に延在するガイドトラックがそれぞれ設けられている。当該ガイドトラックは、頭部拘束サブアセンブリ２２の位置を背部サポート２１に対して背もたれ部長手方向Ｌに設定する際に２つの摺動突起部５６，５７が摺動する摺動面である。背部サポート２１の背面側に摺動突起部５６，５７に対して設けられた摺動面の傾斜（図１および２によるガイド長穴５１，５２の傾斜に対応する）によって、頭部拘束サブアセンブリ２２が背部サポート２１に対して背もたれ部長手方向Ｌに移動する際、側方肩部保護チーク部２６，２７がベアリング軸２４回りに回動する。
【００４４】
摺動突起部５６，５７に対応して設けられた摺動面は、背部サポート２１の背面側に傾斜状に延在するガイドレールに形成されていることが好ましい。摺動面は、頭部拘束サブアセンブリ２２を背もたれ部長手方向Ｌに引き上げると、チャイルドシートの背もたれ部の有効全長が伸びるとともに、側方肩部保護チーク部２６，２７間の背もたれ部長手方向Ｌに対して交差する方向の間隔が広がるように傾斜がつけられている。反対に、背もたれ部の有効全長が短くなるように頭部拘束サブアセンブリ２２を背部サポート２１に対して背もたれ部長手方向Ｌに下げると、側方肩部保護チーク部２６，２７間の背もたれ部長手方向Ｌに対して交差する方向の間隔が狭まる。
【００４５】
単なる摺動面の代わりに、（図１および２のガイド長穴５１，５２と同様の）適宜の傾斜ガイド長穴、または摺動突起部５６，５７がそれぞれ係合するそれぞれの形状のガイドレールを、ガイドトラックとして背部サポート２１の背面側に摺動突起部５６，５７に対して設けてもよい。
【００４６】
頭部拘束サブアセンブリ２２は、頭部拘束サブアセンブリ２２の背部サポート２１に対する背もたれ部長手方向Ｌの各設定位置に、係止機構（掛止機構）から成るロック機構９によってロック可能である。このために、掛止機構は、図４に示されているスプリング式掛止突部９０を有している。掛止突部９０は、例えば、頭部拘束サブアセンブリ２２の後部カバー８に取り付けられ、背部サポート２１の背面側（図３および４では見えない）に、例えば長手方向掛止歯などの噛合部材が対応して設けられている。この掛止部材に掛止突部９０が頭部拘束サブアセンブリ２２の背部サポート２１に対する特定の相対位置で噛合して掛止される。そこで頭部拘束サブアセンブリ２２は、背部サポート２１に対して長手方向の所定の位置でロックされる。
【００４７】
掛止突部９０がスプリング部材によってロックされる方向に弾性的に付勢力の作用を受けているため、頭部拘束サブアセンブリ２２は、通常、背部サポート２１に対して現時点の長手方向の位置にロックされる。ロック機構９である掛止機構を解除するには、ハンドル９２を有する解除レバー９１が用いられる。解除レバー９１を操作することによって、頭部拘束サブアセンブリ２２の位置を背部サポート２１に対して背もたれ部長手方向Ｌにリセットできるようにするために、掛止突部９０と、背部サポート２１の背面側の対応する掛止歯との係合を解除することができる。この場合、ハンドル９２は、好ましくは、図３に示されている作動ハンドル３と一致し、頭部拘束サブアセンブリ２２を背部サポート２１に対して背もたれ部長手方向Ｌに調節するために把持される。
【図面の簡単な説明】
【００４８】
【図１】高さ調節可能な頭部拘束サブアセンブリと、互いの間隔を調節可能な側方肩部保護チーク部を有する子供用保護装置を示す。
【図２】図１による子供用保護装置であり、頭部拘束装置の高さと２つの側方肩部保護チーク部間の間隔の設定が異なっている場合を示す。
【図３】図１および２に概略的に示された子供用保護装置を具体的に示した図である。
【図４】図３の子供用保護装置の分解図である。
【符号の説明】
【００４９】
１  シートシェル
２  背もたれ部
７ａ，７ｂ側方支持部
１０  凹部
２１  背部サポート
２２  頭部拘束サブアセンブリ
２６，２７  側方肩部保護チーク部
【図１】
2008515695.tif 000003
【図２】
2008515695.tif 000004
【図３】
2008515695.tif 000005
【図４】
2008515695.tif 000006
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
背もたれ部長手方向（Ｌ）に延在する背もたれ部（２）と、
シートシェル（1）に取り付けられて、子供の胴体部の後部を支持する前記背もたれ部（２）の背部サポート（２１）と、
前記背もたれ部長手方向（Ｌ）に移動可能に前記背部サポート（２１）に取り付けられて、子供の頭部の後部および／または側部を支持する前記背もたれ部（２）の頭部拘束サブアセンブリ（２２）と、
前記頭部拘束サブアセンブリ（２２）の位置を前記背部サポート（２１）に対して前記背もたれ部長手方向（Ｌ）に設定するように構成された第１設定機構（２０）と、
それぞれ前記頭部拘束サブアセンブリ（２２）の側方支持部（７ａ，７ｂ）に、前記背もたれ部長手方向（Ｌ）に対して交差する方向に互いに離間して配置された２つの側方肩部保護チーク部（２６，２７）と、
前記背もたれ部長手方向（Ｌ）に対して交差する方向につき、前記２つの側方肩部保護チーク部（２６，２７）間の間隔を設定するように構成された第２設定機構（２５）を有する、自動車シートに設置するための自動車の子供用保護装置であって、
前記２つの設定機構（２０，２５）につき、一方の設定機構（２０）が作動すると他方の設定機構（２５）も起動するように当該２つの設定機構（２０，２５）を互いに連結する連結機構（５）が設けられていることを特徴とする子供用保護装置。
【請求項２】
前記２つの設定機構（２０，２５）は、前記第１設定機構（２０）が作動すると前記第２設定機構（２５）が起動するように互いに連結されていることを特徴とする請求項１に記載の子供用保護装置。
【請求項３】
前記連結機構（５）が、第１の方向（Ｌ）への運動を当該第１の方向（Ｌ）に対して垂直な方向の成分（Ｑ）を有する運動に変換するための連結ギヤ（５０）を有することを特徴とする請求項１または２に記載の子供用保護装置。
【請求項４】
前記第１の方向（Ｌ）が前記背もたれ部長手方向であることを特徴とする請求項２または３に記載の子供用保護装置。
【請求項５】
前記連結ギヤが歯車であることを特徴とする請求項３または４に記載の子供用保護装置。
【請求項６】
前記連結ギヤがネジまたはスピンドルギヤであることを特徴とする請求項３または４に記載の子供用保護装置。
【請求項７】
前記連結ギヤがレバーギヤであることを特徴とする請求項３または４に記載の子供用保護装置。
【請求項８】
前記連結ギヤが牽引ギヤであることを特徴とする請求項３または４に記載の子供用保護装置。
【請求項９】
前記連結ギヤ（５０）が、ガイドトラック（５１，５２）に沿って案内される少なくとも一つのガイド部材（５３，５４，５６，５７）を有することを特徴とする請求項３または４に記載の子供用保護装置。
【手続補正２】
【補正対象書類名】明細書
【補正対象項目名】全文
【補正方法】変更
【補正の内容】
【発明の詳細な説明】
【技術分野】
【０００１】
本発明は、請求項１の前段部分（プレアンブル）に記載された特徴を有する自動車の子供用保護装置に関する。
【背景技術】
【０００２】
この種の子供用保護装置は、自動車シートに設置するためのものであって、所定の長手方向（上下方向）に延在する背もたれ部を備えている。背もたれ部は、シートシェルに取り付けられて子供の胴体部の後部を支持する背部サポートと、背もたれ部長手方向に移動可能に背部サポートに取り付けられて子供の頭部の後部および／または側部を支持する頭部拘束サブアセンブリとを有する。頭部拘束サブアセンブリは、更に、背もたれ部長手方向に対して交差する方向（横方向）に互いに離間して、それぞれ頭部拘束サブアセンブリの側方支持部から突出して形成されている２つの側方肩部保護チーク部（側方肩部保護のための側面部、サイドチークとも称呼）を有する。第一に、背部サポートに対する頭部拘束サブアセンブリの背もたれ部長手方向の位置を、第二に、背もたれ部長手方向に対して交差する方向における２つの側方肩部保護チーク部間の間隔を設定するために、この子供用保護装置には第１および第２設定機構が設けられている。
【０００３】
この種の子供用保護装置は、自動車で移動する子供を保持するためのものであり、そのために、適切に自動車に固定される。子供用保護装置の背部サポートは、子供の背部を安定させるためのものであり、そのために、子供用保護装置の正常位置に着座した子供の背柱に沿って背もたれ部長手方向に延在する。この場合、背もたれ部長手方向に変位可能に背部サポートに取り付けられている頭部拘束サブアセンブリは、子供の頭部を支持するばかりでなく、更に肩部保護チーク部を有し、特に側面衝突事故の際に、子供の上体、すなわち肩部、さらには上腕部が確実に側方方向に支持されるように構成されている。
【０００４】
この種の子供用保護装置は、これを使用する子供に上質の乗り心地と、特に衝突事故の際には最大限の安全性を提供するために、頭部拘束装置の高さ、すなわち、背部サポートに対する頭部拘束アセンブリの背もたれ部長手方向の位置、および、頭部拘束装置の幅、すなわち、背もたれ部長手方向に対して交差する方向における２つの側方肩部保護チーク部（サイドチーク）間の間隔が、その子供の体格、一般に、身体測定値と一致していなければならない。このために、頭部拘束アセンブリの背もたれ部長手方向の位置を設定する機構と、２つの側方肩部保護チーク部間の間隔を設定する機構が用いられる。
【０００５】
しかし、この種の公知の子供用保護装置の場合、頭部拘束装置の高さ（背もたれ部の長さ）とサイドチーク間の間隔（背もたれ部の幅）を設定するために２つの異なる設定機構を別々に作動させる必要があり、複雑さが伴うという問題がある。そのため、誤操作の危険性が増大し、この設定を子供の年齢とともに変化する身体測定値に定期的に合わせることができなくなる問題もある。
【発明の開示】
【発明が解決しようとする課題】
【０００６】
本発明は、扱い易く信頼性が高いという特徴をする、冒頭に記載のタイプの子供用保護装置を提供することを課題としている。
【課題を解決するための手段】
【０００７】
上記課題は、本発明に係る請求項１に記載の特徴を有する子供用保護装置によって解決される。
【０００８】
本発明による子供用保護装置は、対応する作動変数、すなわち頭部拘束装置（ヘッドレスト装置とも称呼）の高さ、ないし側方肩部保護サイドチーク（側方肩部保護のための側面部とも称呼）間の間隔を設定するための一方の設定機構が作動すると他方の設定機構も起動するように子供用保護装置の２つの設定機構を互いに連結する連結機構を有する。
【０００９】
これによって、２つの設定機構を、一回の動作で、例えば、対応する作動ハンドルを片手で操作することによって操作できるため、操作の利便性の向上につながる。また、同時に、全ての設定操作を同一の作動部材で行うことができるため、誤操作の危険性が低減される。
【００１０】
本発明によって設けられた連結機構は、特に（頭部拘束装置の高さを設定する）第１設定機構が作動すると（サイドチーク間の間隔を設定する）第２設定機構が起動するように構成されている。
【００１１】
そのために、連結機構は、第１の方向への運動を当該第１の方向に対して垂直な方向の成分を有する運動に変換するためのギヤ、例えば、（頭部拘束装置の高さを設定する際の）背もたれ部長手方向への運動を（２つの肩部保護チーク部間の間隔を設定するべく）背もたれ部長手方向に対して垂直な方向の成分を有する運動に、またはその逆に、変換するためのギヤを有する。これには、例えば、歯車、スピンドルギヤ、レバーギヤ、牽引ギヤ、互いに相互作用する長穴ガイドまたは摺動ガイドまたは摺動楔状部材が好適である。
【００１２】
本発明の一実施形態によると、ギヤは、例えば、ラックとラックに噛合するピニオンによって、ネジ（スピンドル）とネジに取り付けられたナット（スピンドルナット）によって、可撓性牽引機構（ケーブル）と牽引機構によって回転可能となるプーリによって、または、クランクギヤによって、長手方向の運動を回転運動に、またはその逆に、変換するために用いられる。
【００１３】
本発明の他の実施形態によると、ギヤは、例えば、レバーギヤによって、対応するガイドトラック（例えば、ガイド長穴）内を案内されるガイド部材（例えば、ガイドピン）によって、または、相互作用する摺動楔状部材によって、第１の方向への長手方向の運動を第２の方向への長手方向の運動に変換するために用いられる。
【００１４】
背もたれ部長手方向に対して交差する方向に互いに離間する子供用保護装置の２つの側方肩部保護チーク部間の間隔、すなわち、背もたれ部の幅は、サポートを（所定の回動軸回りに）回動させることによって設定可能であることが好ましい。
【００１５】
連結機構を介して互いに連結される２つの設定機構を作動させるには、好ましくは、対応する凹状把持部に配設された作動部材（作動ハンドル）である作動レバーが用いられる。
【００１６】
さらに、本発明の好ましい発展例では、頭部拘束装置の現時点の設定高さとサイドチーク間の現時点の設定間隔とをロックするためにロック機構が設けられている。これには、例えば、ロックされる方向に（スプリング機構によって）弾性的に付勢力が与えられ、対応する操作部材によって解除することが可能な係止部（掛止部）が好適である。この操作部材は、頭部拘束装置の高さとサイドチーク間の間隔をリセットするための作動部材によって構成されていることが好ましい。このために、作動部材は移動可能に取り付けられ、例えば、回動可能に取り付けられた作動レバーとして構成され、作動部材に対する作用によって（例えば、作動レバーを回動させることによって）、まず、ロック機構が解除され、その後、作動部材に対するさらなる作用によって（例えば、背もたれ部長手方向に力を加えて引張ることによって）、一方の設定機構、すなわち、この場合は、背もたれ部の長さを設定するための設定機構が作動するように構成されている。本発明によると、これによって、他方の設定機構も同時に起動される、すなわち、この場合は、背もたれ部の２つの背部サポート間の間隔が調節される。
【００１７】
さらに、設定機構の少なくとも一方の設定を表示するための表示装置が設けられていると有利である。この表示装置は、相対的に調節可能な子供用保護装置の２つの部分の一方、例えば、相互に入れ子状に嵌め込み可能な２つの背もたれ部分（背部サポートと頭部拘束サブアセンブリ）の一方にそれぞれ設けられている目盛りと指針によって構成することが可能である。この場合、指針は、目盛りの一部が見える覗き窓である表示窓として構成してもよい。
【００１８】
シートベルトをガイドするための少なくとも１つのベルトガイドが、頭部拘束装置の高さやサイドチーク間の間隔がリセットされるのと同時に、ベルトガイドの位置も同様にして調節されるように、子供用保護装置の頭部拘束サブアセンブリに設けられていると有利である。これによって、子供用保護装置のベルトガイドの位置は、頭部拘束装置の高さやサイドチーク間の間隔の現時点の設定値に自動的に合わせられる。ベルトガイドを背もたれ部の２つの側方部分にそれぞれ配置することがここでは特に好ましい。
【発明を実施するための最良の形態】
【００１９】
図１は、凹部１０を有するシートシェル1とシートシェル1から上方に突出した背もたれ部２とを有する子供用保護装置であるチャイルドシートを示している。
【００２０】
凹部１０を有するシートシェル1は、子供の上腿部、尻部および骨盤部を受ける部分であり、背もたれ部（バックレスト部とも称呼）２は、背部サポート（バックサポート部とも称呼）２１によって子供の背部を支持するとともに、頭部拘束サブアセンブリ（ヘッドレスト・サブアセンブリないしヘッドレスト組込体とも称呼）２２によって子供の頭部を支持するためのものである。また、側方肩部保護チーク部２６，２７（側方肩部保護のための側面部、ないしサイドチークとも称呼）が、頭部拘束サブアセンブリ２２から突出形成され、特に側面衝突事故の際に上腕部および肩部の領域で子供を側方支持する。そのために、側方肩部保護チーク部２６，２７は、背もたれ部の長手方向Ｌに対して交差する方向に互いに離間して、頭部拘束サブアセンブリ２２に回動可能に設けられたそれぞれの側方支持部７ａ，７ｂから突出して形成されている。背もたれ部長手方向Ｌは、ここではシートシェル1の正常位置に着座した子供の背柱の延伸方向を意味している。また、頭部拘束サブアセンブリ２２は、従来の頭部拘束装置に比して更なるサブアセンブリ２６，２７，２８，２９を有するが、以下では、単に頭部拘束装置とも称される。
【００２１】
図１に示される子供用保護装置であるチャイルドシートは、これを使用する子供の最高限の乗り心地と最大限の安全性を保証するために、その形状寸法を子供の体格の測定値と一致させることが可能である。このために、頭部拘束装置の高さ、すなわち、背部サポート２１に対する頭部拘束装置２２の背もたれ部長手方向Ｌの位置と、背もたれ部長手方向Ｌに対して交差する方向Qにおける側方肩部保護チーク部２６，２７（サイドチーク）間の間隔を設定することが可能である。
【００２２】
頭部拘束装置の高さを設定するために、背もたれ部２は、全体として入れ子状（嵌合状）に伸縮式に形成され、２つの背もたれ部分２１，２２から構成されている。背もたれ部分２１，２２は、背もたれ部長手方向Ｌにおいて相対的に調節可能とされ、そのうち一方の背もたれ部下部２１が背部サポートを構成し、背もたれ部長手方向Ｌに変位可能である他方の背もたれ部上部２２が頭部拘束装置を構成する。背もたれ部の長さを設定するためには、凹状把持部３０に配置された作動ハンドル３である作動レバーが用いられる。作動レバー３は、頭部拘束装置２２に設けられた（子供の頭部を受ける）頭部受け部２３に配置され、以下の２つの機能を有する。
第一に、作動レバー３を回動することによって、ロック機構を解除することが可能である。ロック機構は、弾性的にプレストレスを与えられてロック状態にされる掛止部材によって形成され、背もたれ部の長さの現時点の設定をロックする。ロック機構が解除されて、初めて、頭部拘束装置２２を背もたれ部長手方向Ｌに背部サポート２１に対して動かすことによって頭部拘束装置の高さをリセットすることが可能となる。
第二に、背もたれ部長手方向Ｌに作用する張力を作動ハンドル３に加えることによってロック機構を解除した後、対応する設定機構を形成する２つの背もたれ部２１，２２、すなわち、背部サポート２１と、背部サポート２１に移動可能に取り付けられた頭部拘束装置２２を背もたれ部長手方向Ｌに相対的に移動させて（図２参照）、頭部拘束装置を所望の高さにリセットすることが可能である。
【００２３】
背もたれ部の長さを設定するための設定機構２０は、２つの背もたれ部２１，２２が入れ子状に嵌め込み可能であることによって実現され、表示装置４が対応して設けられている。表示装置４は、一方の背もたれ部下部、すなわち背部サポート２１に設けられた表示窓または覗き窓４１と、他方の背もたれ部上部、すなわち頭部拘束装置２２に設けられた目盛４２とから構成される。２つの背もたれ部分２１，２２の背もたれ部長手方向Ｌにおける相対的な位置に応じた目盛４２の一部が覗き窓４１から目視可能であり、その部分から頭部拘束装置の高さの現時点の設定値を読み取ることが可能である。目盛は、背部サポート２１と頭部拘束装置２２から成る背もたれ部２の現時点の全長を示す必要は全くなく、操作がしやすいように、その背もたれ部の設定長が適している子供の身長（ｃｍ）を示してもよい。この表示装置４によって、操作者に選択されている設定値がすぐに知らされるので、誤操作の危険性が更に低減されることになる。
【００２４】
更に、図１に示された子供用保護装置は、背もたれ部長手方向Ｌに対して交差する方向における２つの側方肩部保護チーク部２６，２７（サイドチーク）間の間隔を設定するための設定機構２５を有する。このために、背もたれ部２の２つの側方支持部７ａ，７ｂが軸２４回りに回動可能に取り付けられ、２つの側方支持部７ａ，７ｂを共有のベアリング軸２４回りに互いに回動させることによって、側方支持部７ａ，７ｂに設けられた側方肩部保護チーク部２６，２７間の間隔が、背もたれ部長手方向Ｌに対して交差する方向Qに増減するようになされている（図２参照）。
【００２５】
大きな子供ほど一般的に背もたれ部長手方向Ｌに対して交差する方向に大きなスペースを必要とするので、２つの設定機構２０，２５は、頭部拘束装置の高さが（背もたれ部長手方向Ｌに）高くなると、側方肩部保護チーク部２６，２７間の間隔も（背もたれ部長手方向Ｌに対して交差する方向Qに）広がるように（図２参照）連結機構を介して連結されている。
【００２６】
背もたれ部長手方向Ｌの頭部拘束装置の高さの設定時における２つの背もたれ部２１，２２の長手方向への相対的な移動を頭部拘束装置２２の２つの側方支持部７ａ，７ｂの共有のベアリング軸２４回りの回転運動に変換するために、例えば、ラックとラックに係合するピニオンを有するピニオンギヤ、ネジまたはスピンドルギヤ、牽引機構と牽引機構によって駆動されるケーブルプーリを有する牽引ギヤ、または、レバーギヤ等の公知のギヤ機構を用いることが可能である。
【００２７】
本実施形態では、２つの長穴ガイド５１，５３および５２，５４を有する連結ギヤ５０が、２つの背もたれ部２１，２２の長手方向への相対的移動を背もたれ部２の２つの側方支持部７ａ，７ｂの互いに反対方向への回転運動に変換するための連結機構５として用いられている。当該長穴ガイドは、それぞれ、背もたれ部長手方向Ｌに対して斜めに延在する（背もたれ部長手方向Ｌに対して傾斜した）ガイド長穴（ガイドスロット）５１，５２である長穴と、ガイド長穴５１，５２内を案内されるガイドピン５３，５４であるピンまたはボルトから構成されている。２つのガイド長穴５１，５２は、背もたれ部長手方向Ｌに対して相互に反対方向に傾斜し、ガイドピン５３，５４は、それぞれのガイド長穴５１，５２に密接状に係合している。
【００２８】
傾斜状に延在する２つのガイド長穴５１，５２は、下部の非変位性の背部サポート２１の上方支持部（延長部）２１０に形成され、対応するガイドピン５３，５４は、背もたれ部２の２つの回動可能に取り付けられた側方支持部７ａ，７ｂの一方に設けられている。従って、ガイド長穴５１，５２は、背もたれ部長手方向Ｌの背もたれ部の長さの設定時に所定の位置に固定されたままになるサブアセンブリ（背部サポート２１）に形成され、対応するガイドピン５３，５４は、背もたれ部長手方向Ｌの背もたれ部の長さの設定時に移動されるサブアセンブリ（側方肩部保護チーク部２６，２７が延出形成されている側方支持部７ａ，７ｂを有する頭部拘束装置２２）に設けられている。
【００２９】
ガイド長穴５１，５２が背もたれ部長手方向Ｌに対して傾斜した形状であるため、背もたれ部長手方向Ｌへの頭部拘束装置２２の移動が、ここでは背もたれ部長手方向Ｌに対して交差する方向の成分Ｑを有する頭部拘束装置２２の２つの側方支持部７ａ，７ｂの移動に変換される。この２つの側方支持部７ａ，７ｂの移動は、側方支持部７ａ，７ｂがベアリング軸２４に対して回転可能に取り付けられているため、それぞれ回動運動となる。
【００３０】
背もたれ部２の２つの側方支持部７ａ，７ｂの回動運動は、２つのガイド長穴５１，５２の互いに反対方向への傾斜に対応して互いに反対方向となる。２つのガイド長穴５１，５２は、側方支持部７ａ，７ｂにそれぞれ設けられた２つのガイドピン５３，５４が２つのガイド長穴５１，５２の一方にそれぞれ係合することによって、２つの側方支持部７ａ，７ｂの一方にそれぞれ対応するように設けられている。
【００３１】
本実施形態において具体的に記載された連結機構の代わりに、さらに上記されている他の連結機構のうちの１つを用いてもよい。（背もたれ部長手方向Ｌの）頭部拘束装置の高さ、すなわち、背もたれ部の長さの設定値が背もたれ部の幅（側方肩部保護チーク部２６，２７の横方向Qの間隔）の設定値に対応するように（この設定は、子供の一般的な肩の高さと幅の比率に対応する）、このために設けられた連結機構を介して、２つの設定機構２０，２５が互いに連結されていれば足りる。
【００３２】
さらに図１および図２から分かるように、シートベルト用のベルトガイド２８，２９が、背もたれ部２の２つの側方支持部７ａ，７ｂに設けられている。側方支持部７ａ，７ｂは、頭部拘束装置２２とともに背もたれ部長手方向Ｌに移動可能であるとともに、背もたれ部長手方向Ｌに対して交差する方向Qの間隔を設定することが可能である。これによって、シートベルトは、子供用保護装置に着座した子供を最適に保護するように、（子供用保護装置の取付位置が、例えば、運転席の後ろか助手席の後ろかによって）ベルトガイド２８，２９のどちらか一方を介して案内される。
【００３３】
ベルトガイド２８，２９が背もたれ部２の側方支持部７ａ，７ｂ（頭部拘装置２２に連結されて互いに回動可能である）に設けられていることによって、背もたれ部の長さおよび幅のリセット時に、ベルトガイド２８，２９の位置もこれに対応して同時に調節される。これにより、ベルトガイド２８，２９の位置を、常時、背もたれ部の長さおよび幅のそれぞれ選択された設定値（この設定値は、着座する子供の体格によって決まる）に最適に合わせることが可能となる。
【００３４】
図３および４は、図１および２に概略的にのみ示されている子供用保護装置としてのチャイルドシートの特定の改良点および一部変更点を一例として示している。
【００３５】
図３の組付図および図４の補足的な分解図によると、子供用保護装置のシートシェル1は、子供の尻部および上腿部を受けるシート凹部１０を形成し、シート凹部１０に着座した子供の骨盤を支持するための骨盤サポート１６，１７によって側方が挟まれている。
【００３６】
背部サポート２１は、背もたれ部長手方向Ｌに変位不能に、かつ、回動軸Ｓ回りに折畳み可能にシートシェル1に取り付けられ、シートシェル1のシート凹部１０に着座した子供の胴体、特に、脊柱の後部を支持するように構成配設されている。
【００３７】
頭部拘束装置２２は、背もたれ部長手方向Ｌに変位可能、すなわち、高さ調節可能に背もたれ部２の背部サポート２１に取り付けられている。本実施形態では、頭部拘束装置２２は、複数の部品６，７ａ，７ｂ，８から組立てられた頭部拘束サブアセンブリを意味する。
【００３８】
頭部拘束サブアセンブリ２２の第１構造体６は、子供の頭部を支持するための後部サポート６０と２つの側部サポート６６，６７とを有する頭部受け部として実際の頭部拘束部材を形成する。
【００３９】
頭部拘束サブアセンブリ２２は、更なる構造体として、２つの側方支持部７ａ，７ｂを有する。頭部拘束部材６の側部サポート６６，６７をそれぞれ外側から支持するための側部支持チーク部７６，７７が、側方支持部７ａ，７ｂのベース７０の上端部領域からそれぞれ突出形成されている。側方支持部７ａ，７ｂの背もたれ部長手方向Ｌの下端部からは、側方肩部保護チーク部２６，２７がそれぞれ突出形成されている。側方肩部保護チーク部２６，２７は、図１および２を参照して上記したように、２つの側方支持部７ａ，７ｂをベアリング軸２４回りに互いに相対的に回動させることによって、背もたれ部長手方向Ｌに対して交差する方向Qの間隔を設定することが可能である。更に、ベルトガイド２８，２９が、２つの側方支持部７ａ，７ｂにそれぞれ設けられている。
【００４０】
側方支持部７ａ，７ｂのベアリング軸２４（ひいては、側方支持部７ａ，７ｂから突出する側方肩部保護チーク部２６，２７のベアリング軸２４でもある）は、頭部拘束サブアセンブリ２２の更なる構造体８（後部カバー）に形成されている。構造体８のベース８０は、ほぼ背もたれ部２の背部サポート２１に沿って延在している。後部カバー８のベアリング軸２４に回動可能に取り付けるために、２つの側方支持部７ａ，７ｂは、ベアリング軸２４への取付けのためのベアリング孔７４ａ，７４ｂが設けられた内向きのタブ７４をそれぞれ有する。従って、ベアリング軸２４と２つのベアリング孔７４ａ，７４ｂは、頭部拘束サブアセンブリ２２の上端部領域に（そのために設けられた）ベアリング軸２４回りに側方支持部７ａ，７ｂを回動させることによって２つの側方肩部保護チーク部２６，２７間の背もたれ部長手方向Ｌに対して交差する方向Qの間隔を設定する設定装置２５を構成する。更に、頭部拘束サブアセンブリ２２の頭部拘束部材６は、保持孔６４を介してベアリング軸２４に嵌合されている。
【００４１】
頭部拘束サブアセンブリ２２の構造体６，７ａ，７ｂ，８は、頭部拘束部材６が（シートシェル1に着座した子供から見て）背部サポート２１の前方に延在し、かつ、２つの側方支持部７ａ，７ｂと後部カバー８が背部サポート２１の後方に延在するように、背部サポート２１に取り付けられ、その過程で、後部カバー８がチャイルドシートの後部を閉鎖する。
【００４２】
頭部拘束装置の高さ、すなわち頭部拘束サブアセンブリ２２の位置を背部サポート２１に対して背もたれ部長手方向Ｌに設定するためのチャイルドシートの第１設定機構２０は、背部サポート２１の全部で４つの長手方向ガイド２１ａ，２１ｂ，２１ｃ，２１ｄから成る。当該長手方向ガイドは、背もたれ部長手方向Ｌに延在し、そのうち２つの長手方向ガイド２１ａ，２１ｂまたは２１ｃ，２１ｄは、それぞれ互いに平行かつ隣り合わせに延在する。長手方向ガイド２１ａ，２１ｂ，２１ｃ，２１ｄに対して、頭部拘束サブアセンブリ２２の後部カバー８上のガイド部材２２ａ，２２ｂ，２２ｃ，２２ｄであるガイドピンがそれぞれ設けられている。これによって、後部カバー８は、ベアリング軸２４を介して後部カバー８に取付けられている頭部拘束サブアセンブリ２２の他の構造体６，７ａ，７ｂとともに、背部サポート２１に対して背もたれ部長手方向Ｌに移動可能となされている。上記した長手方向ガイドに加えて、頭部拘束サブアセンブリ２２を背部サポート２１に対して背もたれ部長手方向Ｌに案内するための別の長手方向ガイドを更に設けてもよい。図３には、頭部拘束部材６によって大部分が隠れて見えないが、背部サポート２１の上端部領域に延在する２つのこのような更なる長手方向ガイドの下端部が見られる。
【００４３】
頭部拘束サブアセンブリ２２の位置を背部サポート２１に対して背もたれ部長手方向Ｌに設定することが可能なチャイルドシートの第１設定機構２０と、背もたれ部長手方向Ｌに対して交差する方向における２つの側方肩部保護チーク部２６，２７（サイドチーク）間の間隔を設定することが可能な第２設定機構２５とを連結するには、高さ調節可能な頭部拘束サブアセンブリ２２に、正確には、肩部保護チーク部２６，２７に設けられたガイド部材５６，５７である摺動突起部が連結機構５または連結ギヤ５０として用いられている。摺動突起部５６，５７は、それぞれ各肩部保護チーク部２６，２７の下端部領域に互いに対向して設けられている。２つの摺動突起部５６，５７に対して、背部サポート２１の背面側（図３および４では見えない）に、背もたれ部長手方向Ｌに対して傾斜状に延在するガイドトラックがそれぞれ設けられている。当該ガイドトラックは、頭部拘束サブアセンブリ２２の位置を背部サポート２１に対して背もたれ部長手方向Ｌに設定する際に２つの摺動突起部５６，５７が摺動する摺動面である。背部サポート２１の背面側に摺動突起部５６，５７に対して設けられた摺動面の傾斜（図１および２によるガイド長穴５１，５２の傾斜に対応する）によって、頭部拘束サブアセンブリ２２が背部サポート２１に対して背もたれ部長手方向Ｌに移動する際、側方肩部保護チーク部２６，２７がベアリング軸２４回りに回動する。
【００４４】
摺動突起部５６，５７に対応して設けられた摺動面は、背部サポート２１の背面側に傾斜状に延在するガイドレールに形成されていることが好ましい。摺動面は、頭部拘束サブアセンブリ２２を背もたれ部長手方向Ｌに引き上げると、チャイルドシートの背もたれ部の有効全長が伸びるとともに、側方肩部保護チーク部２６，２７間の背もたれ部長手方向Ｌに対して交差する方向の間隔が広がるように傾斜がつけられている。反対に、背もたれ部の有効全長が短くなるように頭部拘束サブアセンブリ２２を背部サポート２１に対して背もたれ部長手方向Ｌに下げると、側方肩部保護チーク部２６，２７間の背もたれ部長手方向Ｌに対して交差する方向の間隔が狭まる。
【００４５】
単なる摺動面の代わりに、（図１および２のガイド長穴５１，５２と同様の）適宜の傾斜ガイド長穴、または摺動突起部５６，５７がそれぞれ係合するそれぞれの形状のガイドレールを、ガイドトラックとして背部サポート２１の背面側に摺動突起部５６，５７に対して設けてもよい。
【００４６】
頭部拘束サブアセンブリ２２は、頭部拘束サブアセンブリ２２の背部サポート２１に対する背もたれ部長手方向Ｌの各設定位置に、係止機構（掛止機構）から成るロック機構９によってロック可能である。このために、掛止機構は、図４に示されているスプリング式掛止突部９０を有している。掛止突部９０は、例えば、頭部拘束サブアセンブリ２２の後部カバー８に取り付けられ、背部サポート２１の背面側（図３および４では見えない）に、例えば長手方向掛止歯などの噛合部材が対応して設けられている。この掛止部材に掛止突部９０が頭部拘束サブアセンブリ２２の背部サポート２１に対する特定の相対位置で噛合して掛止される。そこで頭部拘束サブアセンブリ２２は、背部サポート２１に対して長手方向の所定の位置でロックされる。
【００４７】
掛止突部９０がスプリング部材によってロックされる方向に弾性的に付勢力の作用を受けているため、頭部拘束サブアセンブリ２２は、通常、背部サポート２１に対して現時点の長手方向の位置にロックされる。ロック機構９である掛止機構を解除するには、ハンドル９２を有する解除レバー９１が用いられる。解除レバー９１を操作することによって、頭部拘束サブアセンブリ２２の位置を背部サポート２１に対して背もたれ部長手方向Ｌにリセットできるようにするために、掛止突部９０と、背部サポート２１の背面側の対応する掛止歯との係合を解除することができる。この場合、ハンドル９２は、好ましくは、図３に示されている作動ハンドル３と一致し、頭部拘束サブアセンブリ２２を背部サポート２１に対して背もたれ部長手方向Ｌに調節するために把持される。
【００４８】
本発明では、「連結ギヤ（５０）が、長手方向の運動を回転運動に変換し、または回転運動を長手方向の運動に変換するために用いられることを特徴とする請求項３から９のいずれか１項に記載の子供用保護装置。」という構成（態様１）が想到される。
また、本発明では、「連結ギヤ（５０）が、第１の方向（Ｌ）への長手方向の運動を第２の方向（Ｑ）への長手方向の運動に変換するように構成されていることを特徴とする請求項３から９のいずれか１項に記載の子供用保護装置。」という構成（態様２）が想到される。
また、本発明では、「連結ギヤが、ラックと、当該ラックに噛合するピニオンを有することを特徴とする請求項５、前記態様１または２に記載の子供用保護装置。」という構成（態様３）が想到される。
また、本発明では、「連結ギヤが、ネジまたはスピンドルと、当該ネジまたはスピンドルに係合するナットを有することを特徴とする請求項６、前記態様１または２に記載の子供用保護装置。」という構成（態様４）が想到される。
また、本発明では、「連結ギヤがクランクを有することを特徴とする請求項７、前記態様１または２に記載の子供用保護装置。」という構成（態様５）が想到される。
また、本発明では、「連結ギヤが、牽引機構と、当該牽引機構によって駆動されるプーリを有することを特徴とする請求項８、前記態様１または２に記載の子供用保護装置。」という構成（態様６）が想到される。
また、本発明では、「各ガイドトラック（５１，５２）が、ガイド部材（５３，５４）が係合する長孔状のガイドスロットとして構成されていることを特徴とする請求項９、前記態様１または２に記載の子供用保護装置。」という構成（態様７）が想到される。
また、本発明では、「各ガイドトラック（５１，５２）が、ガイド部材（５３，５４）が摺動するガイド面として構成されていることを特徴とする請求項９、前記態様１または２に記載の子供用保護装置。」という構成（態様８）が想到される。
また、本発明では、「背部サポート（２１）が、背もたれ部長手方向（Ｌ）に関して変位不能にシートシェル（１）に取り付けられていることを特徴とする請求項１から９、前記態様１から８のいずれか１項に記載の子供用保護装置。」という構成（態様９）が想到される。
また、本発明では、「背部サポート（２１）が、シートシェル（１）に折り畳み可能に取り付けられていることを特徴とする請求項１から９、前記態様１から９のいずれか１項に記載の子供用保護装置。」という構成（態様１０）が想到される。
また、本発明では、「２つの側方肩部保護チーク部（２６，２７）を回動軸（２４）回りに相対的に回動させることによって、２つの側方肩部保護チーク部（２６，２７）間の間隔を設定することが可能であることを特徴とする請求項１から９、前記態様１から１０のいずれか１項に記載の子供用保護装置。」という構成（態様１１）が想到される。
また、本発明では、「回動軸（２４）が、背もたれ部長手方向（Ｌ）に対して直交状に延在することを特徴とする前記態様１１に記載の子供用保護装置。」という構成（態様１２）が想到される。
また、本発明では、「２つの側方肩部保護チーク部（２６，２７）間の回動軸（２４）が、頭部拘束サブアセンブリ（２２）に設けられていることを特徴とする前記態様１１または１２に記載の子供用保護装置。」という構成（態様１３）が想到される。
また、本発明では、「２つの側方支持部（７ａ，７ｂ）を回動軸（２４）回りに回動させることによって、２つの側方肩部保護チーク部（２６，２７）間の間隔を設定することが可能であることを特徴とする前記態様１１から１３のいずれか１項に記載の子供用保護装置。」という構成（態様１４）が想到される。
また、本発明では、「作動ハンドル（３）が、一方の設定機構（２０）を作動させるために設けられていることを特徴とする請求項１から９、前記態様１から１４のいずれか１項に記載の子供用保護装置。」という構成（態様１５）が想到される。
また、本発明では、「作動ハンドル（３）が凹状把持部（３０）に配置されていることを特徴とする前記態様１５に記載の子供用保護装置。」という構成（態様１６）が想到される。
また、本発明では、「一方の設定機構（２０）の設定をロックするためのロック機構（９）が設けられていることを特徴とする請求項１から９、前記態様１から１６のいずれか１項に記載の子供用保護装置。」という構成（態様１７）が想到される。
また、本発明では、「ロック機構（９）が係止機構を有することを特徴とする前記態様１７に記載の子供用保護装置。」という構成（態様１８）が想到される。
また、本発明では、「ロック機構（９）が、ロックされる方向に弾性的に付勢力を与えられていることを特徴とする前記態様１７または１８に記載の子供用保護装置。」という構成（態様１９）が想到される。
また、本発明では、「ロック機構（９）に対して、ロック機構を解除するための操作部材（３；９１，９２）が設けられていることを特徴とする前記態様１７から１９のいずれか１項に記載の子供用保護装置。」という構成（態様２０）が想到される。
また、本発明では、「操作部材が作動ハンドル（３）によって構成されていることを特徴とする請求項１５または２０に記載の子供用保護装置。」という構成（態様２１）が想到される。
また、本発明では、「表示装置（４）が、設定機構（２０，２５）の少なくとも一方の設定を表示するために設けられていることを特徴とする請求項１から９、前記態様１から２１のいずれか１項に記載の子供用保護装置。」という構成（態様２２）が想到される。
また、本発明では、「表示装置（４）が、設定機構（２０）によって相対的に調節可能な２つの部分（２１，２２）の一方にそれぞれ設けられている目盛り（４２）と指針（４１）とから成ることを特徴とする前記態様２２に記載の子供用保護装置。」という構成（態様２３）が想到される。
また、本発明では、「指針（４１）が覗き窓によって構成されていることを特徴とする前記態様２３に記載の子供用保護装置。」という構成（態様２４）が想到される。
また、本発明では、「シートベルト用のベルトガイド（２８，２９）が、前記頭部拘束サブアセンブリ（２２）の前記側方肩部保護チーク部（２６，２７）の少なくとも一方に設けられていることを特徴とする請求項１から９、前記態様１から２４のいずれか１項に記載の子供用保護装置。」という構成（態様２５）が想到される。
また、本発明では、「背もたれ部長手方向（Ｌ）に対して交差する方向における２つの側方肩部保護チーク部（２６，２７）間の間隔を変更する際に、同時に、背もたれ部長手方向（Ｌ）に対して交差する方向におけるベルトガイド（２８，２９）の位置も変更されるように、ベルトガイド（２８，２９）の少なくとも一方が、頭部拘束サブアセンブリ（２２）の側方肩部保護チーク部（２６，２７）に設けられていることを特徴とする前記態様２５に記載の子供用保護装置。」という構成（態様２６）が想到される。
また、本発明では、「各ベルトガイド（２８，２９）が、同じ側方支持部（７ａ，７ｂ）に設けられた肩部保護チーク部（２６，２７）とともに移動されることを特徴とする前記態様２６に記載の子供用保護装置。」という構成（態様２７）が想到される。
また、本発明では、「頭部拘束サブアセンブリ（２２）の位置を変更する際に、少なくとも一方のベルトガイド（２８，２９）が背もたれ部長手方向（Ｌ）に移動されることを特徴とする前記態様２５から２７のいずれか１項に記載の子供用保護装置。」という構成（態様２８）が想到される。
【図面の簡単な説明】
【００４９】
【図１】高さ調節可能な頭部拘束サブアセンブリと、互いの間隔を調節可能な側方肩部保護チーク部を有する子供用保護装置を示す。
【図２】図１による子供用保護装置であり、頭部拘束装置の高さと２つの側方肩部保護チーク部間の間隔の設定が異なっている場合を示す。
【図３】図１および２に概略的に示された子供用保護装置を具体的に示した図である。
【図４】図３の子供用保護装置の分解図である。
【符号の説明】
【００５０】
１  シートシェル
２  背もたれ部
７ａ，７ｂ側方支持部
１０  凹部
２１  背部サポート
２２  頭部拘束サブアセンブリ
２６，２７  側方肩部保護チーク部
【国際調査報告】
2008515695.tif 000007
2008515695.tif 000008
2008515695.tif 000009
2008515695.tif 000010
2008515695.tif 000011
2008515695.tif 000012